(57)【要約】【課題】ユーザがカラオケサービスを利用することで得られる個人のカラオケ情報やユーザ提供情報等を蓄積したホストサーバからネットワークを介して配信される個人用情報を、情報端末やリモコン端末を介して利用可能なカラオケネットワークシステムを提供する。【解決手段】カラオケネットワークシステム１は、カラオケ装置４と、リモコン端末５と、ユーザ端末６とが、インターネット２００を介してホストサーバ２，３と通信可能に接続されている。ホストサーバ２，３は、Ｗｅｂサーバ２ａ，３ａとデータベース２ｂとを備える。データベース２ｂは個人用Ｗｅｂページのデータを記憶する。Ｗｅｂサーバ２ａ，３ａは、データベース２ｂに記憶されている個人用Ｗｅｂページをリモコン端末５及びユーザ端末６に配信する。リモコン端末５及びユーザ端末６は、Ｗｅｂサーバ２ａ，３ａから受信した個人用Ｗｅｂページを表示する。【選択図】図１
2007256824.tif 000002
【特許請求の範囲】
【請求項１】
カラオケ演奏を行うカラオケ装置と、前記カラオケ装置を操作するためのリモコンであって情報表示機能を有するリモコン端末と、情報表示機能を有し、ユーザが操作する情報端末とが、ネットワークを介してホストサーバと通信可能に接続されたカラオケネットワークシステムであって、
前記ホストサーバは、
ユーザが利用した前記カラオケ装置、又はユーザが操作する前記情報端末若しくは前記リモコン端末から送信されてくる情報に基づき、前記カラオケ装置を利用した当該ユーザのカラオケ歌唱に関する情報であるカラオケ情報及び当該ユーザから提供されるユーザ提供情報を少なくとも含むユーザごとの個人用情報を記憶する記憶手段と、
前記記憶手段に記憶されている個人用情報を、前記情報端末又は前記リモコン端末に対して閲覧可能に配信する配信手段とを備え、
前記カラオケ装置は、
ユーザが行ったカラオケ歌唱に関するカラオケ情報を前記ホストサーバへ送信する情報送信手段を備え、
前記情報端末及び前記リモコン端末は、
前記ホストサーバから受信した個人用情報を表示する情報表示手段と、
前記ホストサーバに記憶されている個人用情報をユーザからの指示に基づいて更新する情報更新手段とをそれぞれ備えること
を特徴とするカラオケネットワークシステム。
【請求項２】
請求項１に記載のカラオケネットワークシステムにおいて、
前記ホストサーバは、さらに、前記情報端末又は前記リモコン端末を介して前記ホストサーバに接続するユーザを認証し、当該認証したユーザに対してシステムの利用開始を許可する認証手段を備え、
前記ホストサーバが備える記憶手段は、前記認証手段によって認証されたユーザが利用した前記カラオケ装置、又は前記認証手段により認証されたユーザが操作する前記情報端末若しくは前記リモコン端末から送信されてくる情報に基づき、ユーザごとの前記個人用情報を記憶し、
前記ホストサーバが備える配信手段は、前記記憶手段に記憶されている個人用情報を、前記認証手段により認証されたユーザが操作する前記情報端末又はリモコン端末に対して閲覧可能に配信し、
前記カラオケ装置が備える情報送信手段は、前記リモコン端末を介して前記ホストサーバにより認証されたユーザが行ったカラオケ歌唱に関するカラオケ情報を前記ホストサーバへ送信し、
前記情報端末及び前記リモコン端末が備える情報表示手段は、前記ホストサーバとの通信に基づいて前記ホストサーバにより認証されたユーザに対して、前記ホストサーバから受信した当該ユーザ又は他のユーザの個人用情報を表示し、
前記情報端末及び前記リモコン端末が備える情報更新手段は、前記ホストサーバとの通信に基づいて前記ホストサーバにより認証されたユーザに対応する前記個人用情報を当該ユーザからの指示に基づいて更新すること
を特徴とするカラオケネットワークシステム。
【請求項３】
請求項２に記載のカラオケネットワークシステムにおいて、
前記リモコン端末は、
前記ホストサーバによる複数のユーザ個々に対する認証を経て、当該認証された各ユーザに対応して並行して前記ホストサーバへの接続が可能に構成されており、
前記カラオケ装置は、
前記カラオケ装置を介して前記ホストサーバにより認証されたユーザが歌唱する楽曲の演奏期間の一部又は全部の期間において当該ユーザの前記個人用情報に対する更新を禁止するための制限情報を当該リモコン端末に対して送信する制限情報送信手段を備え、
前記リモコン端末は、前記カラオケ装置から受信した制限情報に基づき、前記情報更新手段による当該ユーザの個人用情報に対する更新を禁止すること
を特徴とするカラオケネットワークシステム。
【発明の詳細な説明】
【技術分野】
【０００１】
本発明は、ネットワークを利用したカラオケ情報共有システムに関するものであり、特に、カラオケユーザ間で個人のカラオケ情報及びユーザの提供情報を共有するための技術に関する。
【背景技術】
【０００２】
従来、インターネット等のネットワークを介してユーザ間で情報を共有可能なシステムとして、例えば、特許文献１に記載のような情報交換システムが知られている。特許文献１に記載の情報交換システムは、予め登録された情報提供者から情報提供者専用Ｗｅｂページを介して入力された提供情報を管理サーバで記憶しておき、予め登録された情報利用者から情報利用者専用Ｗｅｂページを介して入力された条件に基づいて、管理サーバが記憶している提供情報を情報利用者に対して提供する。
【特許文献１】特開２００５−１９０２４９号公報
【発明の開示】
【発明が解決しようとする課題】
【０００３】
ところで、上述のようなインターネット等のネットワークを介してユーザ間で情報を共有可能なシステムをカラオケサービスに利用して、カラオケユーザ間で個人のカラオケ情報やその他の情報を共有できるように構成すれば、カラオケユーザに対してより魅力あるカラオケサービスを提供できると考えられる。
【０００４】
具体的には、以下のようなカラオケネットワークシステムを構成することが考えられる。ホストサーバは、予め登録されたユーザがカラオケサービスを利用することで得られるカラオケユーザの歌唱履歴、十八番の楽曲、歌唱に対する採点結果等に関する個人のカラオケ情報や、ユーザから提供されたユーザ提供情報等をホストサーバのデータベースに蓄積しておく。そして、この蓄積されたカラオケ情報及びユーザ提供情報等をまとめた個人用Ｗｅｂページをネットワークを介してユーザへ配信する。ユーザは、パーソナルコンピュータ（以下、パソコンと称する。）や携帯電話等の情報端末だけでなく、カラオケサービス利用時には情報閲覧機能を有するリモコン端末を介してホストサーバへログインすることで、自分やグループメンバーの個人用Ｗｅｂページを閲覧したり、自分の個人用Ｗｅｂページを更新したりできる。なお、個人用情報の更新は、本人のアカウントからのみ行えることにすることで、他人による個人用情報の改ざん等を防止できる。
【０００５】
一方、上述のようなカラオケネットワークシステムでは、グループでの１つのカラオケルームを利用する場合を想定して、１つのリモコン端末で複数のユーザが並行してホストサーバのＷｅｂサイトにログインできるように構成する必要がある。なぜなら、各カラオケルームを利用する人数と同じ数のリモコン端末をカラオケサービス提供者側が用意することは現実的ではなく、通常、複数人で１台（通常、１つのカラオケルームにつき１台。）のリモコン端末を使用することが多いためである。つまり、同じカラオケルーム内において、グループの全てのメンバーが個人用Ｗｅｂページを利用することができるようにするためには、１台のリモコン端末で複数のユーザが並行してログインできるように構成することが肝要である。
【０００６】
しかしながら、１台のリモコン端末で複数のユーザが並行してログインできるようにした場合、次のような問題がある。ログイン中のユーザのアカウントからは、本人の個人用Ｗｅｂページを更新可能であるため、１台のリモコン端末で複数のユーザが並行してログインしていると、そのリモコン端末からログインしている各ユーザの個人用Ｗｅｂページが更新できることになる。したがって、あるユーザがカラオケ歌唱のためにリモコン端末から目を離している間に、同じ部屋に居合わせるグループ内の他のメンバーがリモコン端末から歌唱中のユーザのアカウントを利用し、歌唱中のユーザの個人用Ｗｅｂページをこっそり改ざんしてしまうおそれがある。
【０００７】
本発明は、まず、ユーザがカラオケサービスを利用することで得られる個人のカラオケ情報やユーザ提供情報等を蓄積したホストサーバからネットワークを介して配信される個人用情報を、情報端末やリモコン端末を介して利用可能なカラオケネットワークシステムを提供することを第１の目的とする。そして、上記のカラオケネットワークシステムにおいて、１台のリモコン端末を介して複数のユーザが並行してホストサーバにログインしている場合に、歌唱中のユーザの個人用情報が他のユーザによって改ざんされるのを防ぐための技術を提供することを第２の目的とする。
【課題を解決するための手段】
【０００８】
上記第１の目的を達成するためになされた請求項１に記載のカラオケネットワークシステムは、カラオケサービスを利用したユーザのカラオケ歌唱に関するカラオケ情報やユーザからの提供情報を含む個人用情報をホストサーバに蓄積しておくことで、ユーザが操作する情報端末やリモコン端末によりこの個人用情報の閲覧又は更新が可能に構成されていることを特徴とする。
【０００９】
具体的には、請求項１に記載のカラオケネットワークシステムは、カラオケ演奏を行うカラオケ装置と、カラオケ装置を操作するためのリモコン端末であって情報表示機能を有するリモコン端末と、情報表示機能を有し、ユーザが操作する情報端末とが、ネットワークを介してホストサーバと通信可能に接続されたカラオケネットワークシステムである。
【００１０】
このうち、ホストサーバは、記憶手段と配信手段とを備える。記憶手段は、ユーザが利用したカラオケ装置、又はユーザが操作する情報端末若しくはリモコン端末から送信されてくる情報に基づき、カラオケ装置を利用した当該ユーザのカラオケ歌唱に関する情報であるカラオケ情報及び当該ユーザから提供されるユーザ提供情報を少なくとも含むユーザごとの個人用情報を記憶する。配信手段は、記憶手段に記憶されている個人用情報を、情報端末又はリモコン端末に対して閲覧可能に配信する。
【００１１】
カラオケ装置は、ユーザが行ったカラオケ歌唱に関するカラオケ情報をホストサーバへ送信する情報送信手段を備える。
情報端末及びリモコン端末は、それぞれ情報表示手段と情報更新手段とを備える。情報表示手段は、ホストサーバから受信した個人用情報を表示する。情報更新手段は、ホストサーバに記憶されている個人用情報を当該ユーザからの指示に基づいて更新する。
【００１２】
なお、ここでいう情報端末とは、例えば、携帯電話やパーソナルコンピュータ（以下、パソコンと表記する。）等の通信機能及び情報表示機能を有する機器を指す。また、リモコン端末とは、例えば、液晶モニタ等の表示装置を備え、カラオケ装置に対する指示の入力に加え、ネットワーク等を介して受信した情報を表示装置に表示する機能を有するリモコン端末を指す。
【００１３】
また、ホストサーバは、例えば、記憶手段と配信手段とを１つのサーバ装置に備える構成であってもよいし、各手段を複数のサーバ装置で分担して備えるような構成であってもよい。
【００１４】
また、ホストサーバが備える記憶手段に記憶されている個人用情報に含まれるカラオケ情報としては、例えば、ユーザが歌唱した楽曲の楽曲名、歌唱したときの音高キー、歌唱時間等を含む履歴の情報（歌唱履歴）、ユーザが得意とする楽曲の情報（十八番の楽曲）、ユーザのカラオケ歌唱に対する採点機能を利用した際の得点の情報（採点結果）等が挙げられる。これらのカラオケ情報は、カラオケ演奏を行うカラオケ装置から送信された情報に基づいて蓄積されたり、情報端末やリモコン端末を介してユーザから送信された情報に基づいて蓄積される。
【００１５】
また、ホストサーバが備える記憶手段に記憶されている個人用情報に含まれるユーザ提供情報は、ユーザがネットワーク上で公開するための情報であり、例えば、ユーザの公開プロフィールや、ユーザの日記やコメント等のメッセージ等が挙げられる。
【００１６】
このように構成されたカラオケネットワークシステムによれば、カラオケの歌唱履歴や十八番の楽曲、採点結果等のカラオケ情報や、ユーザの公開プロフィールやメッセージ等のユーザ提供情報を含む個人用情報を、例えばＷｅｂページとしてユーザが所有する携帯電話やパソコン等の情報端末や、リモコン端末を介して閲覧したり自身の個人用情報を更新したりすることが可能である。これにより、カラオケサービスを利用するユーザ間での情報共有が実現する。
【００１７】
特に、カラオケルーム等においてグループでカラオケサービスを利用する場合等には、リモコン端末を利用してグループのメンバーが互いに他のメンバーの個人用情報を閲覧しあうことで、メンバー同士の情報交換が活発になる。また、個人用情報にユーザのカラオケ情報が含まれていることで、グループ内でのカラオケに関する話題作りに対する動機になる。よって、カラオケサービスを利用中にグループ内でカラオケやメンバーに関する会話が弾むことで楽しい時間を過ごすことができ、グループでのカラオケの利用をより魅力的なものにすることができる。
【００１８】
さらに、カラオケサービスを利用していないときであっても、ユーザが所有する携帯電話やパソコン等の情報端末によりグループのメンバーの個人用情報を閲覧することができるので、カラオケサービスを軸としたユーザ間の情報交換がより活発になる。
【００１９】
ところで、上記のカラオケネットワークシステムを運用する場合、個人用情報の不正利用等を防止する観点から、システムを利用しようとしているユーザに個人用情報を閲覧又は更新する権利があるかどうかや、個人用情報の閲覧又は更新を行おうとするユーザが名乗っている本人かどうかなどを確認することが肝要である。
【００２０】
そこで、請求項２に記載のカラオケネットワークシステムのように構成するとよい。
具体的には、ホストサーバは、情報端末又はリモコン端末を介してホストサーバに接続するユーザを認証し、当該認証したユーザに対してシステムの利用開始を許可する認証手段を更に備えている。そして、ホストサーバが備える記憶手段は、認証手段によって認証されたユーザが利用したカラオケ装置、又は認証手段により認証されたユーザが操作する情報端末、若しくはリモコン端末から送信されてくる入力情報に基づき、ユーザごとの個人用情報を記憶する。また、ホストサーバが備える配信手段は、記憶手段に記憶されている個人用情報を、認証手段により認証されたユーザが操作する情報端末又はリモコン端末に対して閲覧可能に配信する。
【００２１】
一方、カラオケ装置が備える情報送信手段は、リモコン端末を介してホストサーバにより認証されたユーザが行ったカラオケ歌唱に関するカラオケ情報をホストサーバへ送信する。また、情報端末及びリモコン端末が備える情報表示手段は、ホストサーバとの通信に基づいてホストサーバにより認証されたユーザに対して、ホストサーバから受信した当該ユーザ又は他のユーザの個人用情報を表示する。また、情報端末及びリモコン端末が備える情報更新手段は、ホストサーバとの通信に基づいてホストサーバにより認証されたユーザに対応する個人用情報を当該ユーザからの指示に基づいて更新する。
【００２２】
このように構成されたカラオケネットワークシステムによれば、情報端末やリモコン端末からホストサーバへ接続する際には、ホストサーバによるユーザの認証が行われるため、個人用情報の不正な利用を防ぐことができる。ホストサーバによるユーザの認証には、例えば、ユーザごとに予め付与される固有のユーザＩＤやパスワード等を用いることが考えられる。また、個人用情報の更新は、認証された本人のアカウントからのみ行えることにすることで、他人による個人用情報の改ざん等を防止できる。
【００２３】
ところで、カラオケルームのように、複数のユーザが一台のリモコン端末を共有して使用する可能性があるといったカラオケサービス特有の環境においては、１台のリモコン端末で複数のユーザが並行してホストサーバへログインすることにより、グループのメンバー同士で活発な情報交換が可能になるといったメリットと、ログイン中のユーザのアカウントを他人が不正に使用することで、ログイン中のユーザの個人用情報を改ざんされる可能性があるといったデメリットが共存する。
【００２４】
特に、ログイン中のユーザがカラオケ歌唱を開始することにより、そのユーザの注意がリモコン端末から逸れることで、その隙にリモコン端末を使用して他人による個人用情報の不正利用が行われる可能性が高い。
【００２５】
そこで、上記第２の目的を達成するためになされた請求項３に記載のカラオケネットワークシステムは、１台のリモコン端末を介して複数のユーザが並行してホストサーバにログインしている場合、カラオケ歌唱中のユーザの個人用情報については更新を禁止することを特徴とする。
【００２６】
具体的には、リモコン端末は、ホストサーバによる複数のユーザ個々に対する認証を経て、当該認証された各ユーザに対応して並行してホストサーバへ接続可能に構成されている。一方、カラオケ装置は、カラオケ装置を介してホストサーバにより認証されたユーザが歌唱する楽曲の演奏期間の一部又は全部の期間において当該ユーザの個人用情報に対する更新を禁止するための制限情報を当該リモコン端末に対して送信する制限情報送信手段を備えている。そして、リモコン端末は、カラオケ装置から受信した制限情報に基づき、情報更新手段による当該ユーザの個人用情報に対する更新を禁止する。
【００２７】
このように構成されたカラオケネットワークシステムによれば、ホストサーバにログイン中のユーザがカラオケ歌唱中であれば、当該歌唱中のユーザのアカウントであっても本人の個人用情報の更新ができなくなる。これにより、カラオケ歌唱中のユーザの個人用情報が改ざんされる可能性があるといったデメリットを低減できる。
【００２８】
また、個人用情報の更新を禁止する期間については、例えば、楽曲の演奏期間の全部であってもよいし、楽曲の演奏機関のうちユーザの注意がリモコン端末から最も離れると考えられる歌唱期間のみ個人用情報の更新を禁止して、歌唱が行われない前奏や間奏期間中には個人情報の更新を禁止しないといった具合に、演奏期間の一部の期間において個人用情報更新を禁止してもよい。
【００２９】
なお、歌唱中のユーザの個人用情報については、閲覧は許可して更新のみを禁止すればよい。このようにすることで、グループのメンバー同士で活発な情報交換が可能になるといったメリットを損なうことなく、ログイン中のユーザの個人用情報を改ざんされる可能性があるといったデメリットを低減できる。
【発明を実施するための最良の形態】
【００３０】
以下、本発明の実施形態を図面に基づいて説明する。
［カラオケネットワークシステム１の構成の説明］
図１は、インターネット２００を利用したカラオケネットワークシステム１の概略構成を示すブロック図である。
【００３１】
図１に示すように、カラオケネットワークシステム１は、Ｗｅｂサーバ２ａとデータベース２ｂとを備えるカラオケ用ホストサーバ２、及びＷｅｂサーバ３ａを備えるインターネット用ホストサーバ３に対して、カラオケ店等の各カラオケルームに設置されるカラオケ装置４と、カラオケ装置４を操作するためのリモコン端末５と、パーソナルコンピュータ（以下、パソコン）６ａ及び携帯電話６ｂ等の情報端末からなるユーザ端末６とがインターネット２００を介して通信可能に構成されることによって形成されている。
【００３２】
カラオケ用ホストサーバ２は、カラオケ店等に設置されているカラオケ装置４に対して楽曲データやカラオケ装置４からユーザへ提供するためのコンテンツデータ等を配信するためのカラオケサービス用のホストサーバである。カラオケ用ホストサーバ２は、ホストサーバ側のルータ１３０とカラオケ店側のルータ１２０との間でインターネットネットワーク２００上に形成されるＶＰＮ（virtual private network）を介して、カラオケ店側のＬＡＮ１００に接続されている。つまり、カラオケ用ホストサーバ２と、カラオケ装置４及びリモコン端末５との間の通信は、インターネット２００上のＶＰＮ及びカラオケ店側のＬＡＮ１００を介して行われる。
【００３３】
さらに、本カラオケネットワークシステム１において、カラオケ用ホストサーバ２は、本システムを利用する権限を有するユーザに関する登録情報を蓄積するユーザ登録データベース２ｃ（詳細は後述する。）や、登録されているユーザのカラオケ歌唱に関する情報及び当該ユーザから提供される情報等をインターネット２００上で公開するための個人用Ｗｅｂページ（本発明の個人用情報に相当）のデータを蓄積する個人用Ｗｅｂページデータベース２ｄ（詳細は後述）等を有するデータベース２ｂを備えている。そして、カラオケ用ホストサーバ２が備えるＷｅｂサーバ２ａは、このデータベース２ｂと連携しており、カラオケ店側のリモコン端末４等からの要求に応じて、カラオケネットワークシステム１を利用するためにログインしようとするユーザに対する認証や、ログインしたユーザに対する個人用Ｗｅｂページの配信・更新サービスを行う。すなわち、ここでいう連携とは、ユーザ認証及び個人用Ｗｅｂページの配信をＷｅｂサーバ２ａが行うために、データベース２ｄ内に格納されたデータを参照したり、Ｗｅｂサーバ２ａが受け付けた個人用Ｗｅｂページ更新のデータをデータベース２ｂに反映させたりすることで、Ｗｅｂサーバ２ａが行う前記サービスに利用するためのデータと、データベース２ｂとが対応していることを指す。
【００３４】
インターネット用ホストサーバ３は、Ｗｅｂサーバ３ａを介してパソコン６ａや携帯電話６ｂ等の情報端末（以下、これらを総称する場合はユーザ端末６ともいう）に対してインターネット２００を介して情報の送信をするためのホストサーバである。また、インターネット用ホストサーバ３は、適宜な通信回線を介してカラオケ用ホストサーバ２と通信可能に構成されている。
【００３５】
インターネット用ホストサーバ３が備えるＷｅｂサーバ３ａは、カラオケ用ホストサーバ２が備えるデータベース２ｂと（上述のＷｅｂサーバ２ａと同様に）連携しており、ユーザ端末６からの要求に応じて、カラオケ用ホストサーバ２が備えるＷｅｂサーバ２ａと同様にカラオケネットワークシステム１を利用するためにログインしようとするユーザに対する認証や、ログインしたユーザに対する個人用Ｗｅｂページの配信・更新サービスを行う。
【００３６】
パソコン６ａは、十分な処理能力を有する通常のコンピュータであり、適宜な通信回線を介してインターネット２００に接続されている。また、パソコン６ａは、インターネット２００を介して受信したＷｅｂページを閲覧したり、ユーザが画面上で情報や操作指示を入力したり、アニメーション等を表示するためのアプリケーションを動作させたりするための、いわゆるＷｅｂブラウザ機能を有するソフトウェアを備えている。
【００３７】
携帯電話６ｂは、携帯電話事業者が提供する通信回線を介してインターネット２００に接続可能ないわゆる第３世代以降の携帯電話であり、電話をかける・受けるといった通話機能以外に、インターネット２００を介して受信したＷｅｂページを画面で閲覧したり、ユーザが画面上で情報や操作指示を入力したり、アニメーション等を表示するためのアプリケーションを動作させたりするためのＷｅｂブラウザ機能を有するソフトウェアを備えている。
【００３８】
パソコン６ａ及び携帯電話６ｂ等からなるユーザ端末６は、インターネット２００を介してインターネット用ホストサーバ３内のＷｅｂサーバ３ａへアクセスし、Ｗｅｂサーバ３ａから受信したデータに基づいて個人用Ｗｅｂページの閲覧・更新を行うための各種処理を実行する。これらの処理についての詳細な説明は後述する。
【００３９】
［カラオケ装置４の構成の説明］
図２は、カラオケ店等のカラオケルーム内に設置されているカラオケ装置４及びリモコン端末５のより具体的な構成を示すブロック図である。
【００４０】
カラオケ装置４は、カラオケを利用するユーザから指定された楽曲のカラオケ演奏を行うためのものであり、図２に示すように、カラオケ装置４全体の作動を制御する制御部１２、カラオケ装置４をＬＡＮ１００に接続するためのインタフェース部１４、演奏楽曲の伴奏内容及び歌詞を示す楽曲データや映像データ等のコンテンツデータ、カラオケ装置４が作動するためのプログラム等を記憶するハードディスク（ＨＤＤ）１６、複数のキースイッチからなり、曲の予約操作等を行うための操作部１８、リモコン端末５や携帯電話６等から送信された赤外線信号を、赤外線通信規格（ＩｒＤＡ（登録商標））又はリモコン端末５とカラオケ装置４との二者間において予め設定された通信条件に従って受信するための赤外線通信部２０、操作部１８からの信号を処理する操作処理部２２、マイクロフォン２６、ＨＤＤ１６に記憶された演奏データ（ＭＩＤＩデータ）に基づく演奏再生を行うＭＩＤＩ音源３０、ＭＩＤＩ音源３０から出力されたデジタル信号から演奏楽曲のオーディオ信号（音響、音声に関する信号）を生成し、生成されたオーディオ信号及びマイクロフォン２６から入力されたオーディオ信号を増幅してスピーカ２８へ出力する音声制御部２４、画像データを一時的に記憶するビデオＲＡＭ３２、ビデオＲＡＭ３２に記憶された画像データに基づく映像の再生を制御する映像再生部３４、映像再生部３４により再生される映像のモニタ３６での表示を制御する映像制御部３８、半導体素子を利用した書き換え可能な記憶媒体であるメモリ４０などを備えている。
【００４１】
また、制御部１２は、演奏中の楽曲に対応するユーザの個人用Ｗｅｂページに対する更新を禁止するための指示をリモコン端末５に対して送信したり、ユーザの行った歌唱に関する情報をカラオケ用ホストサーバ２へ送信する処理を実行する。なお、この処理についての詳細な説明は後述する。
【００４２】
［リモコン端末５の構成の説明］
リモコン端末５は、カラオケルーム内で使用されるためのものであり、演奏楽曲の予約等をするための操作を利用者から受け付け、その操作信号をカラオケ装置４に送信する機能を有する。また、リモコン端末５は、アクセスポイント１１０経由でＬＡＮ１００及びインターネット２００上のＶＰＮを介してカラオケ用ホストサーバ２へアクセスし、カラオケ用ホストサーバ２から受信したデータに基づいて個人用Ｗｅｂページの閲覧・更新するための機能も有する。
【００４３】
具体的にリモコン端末５は、図２に示すように、リモコン端末５全体の作動を制御する制御部５２、赤外線通信規格（ＩｒＤＡ）又はリモコン端末５とカラオケ装置４との二者間において予め設定された通信条件に従ってカラオケ装置４に赤外線信号を送信する赤外線通信部５４、リモコン端末５が作動するためのプログラム等の各種情報を記憶するメモリ５６、表示部５８の表示領域に沿って設置されるタッチパネル及び複数のキースイッチからなり、利用者からの操作を受け付ける操作部６０、操作部６０からの信号を処理する操作処理部６２、画像データを一時的に記憶するビデオＲＡＭ６４、ビデオＲＡＭ６４に記憶された画像データの表示部５８での表示を制御する映像制御部６６、ＬＡＮ１００に接続されたアクセスポイント１１０との間で無線ＬＡＮ規格（例えば、ＩＥＥＥ８０２．１１ａ／ｂ／ｇ規格，ＨｏｍｅＲＦ規格，Ｂｌｕｅｔｏｏｔｈ規格など）に従った無線通信を行うための無線ＬＡＮ通信部６８などを備えている。
【００４４】
このうち、制御部５２は、利用者から曲の予約をするための操作入力を受け付け、選択された曲の曲番号に、予約者（即ち、歌唱する人）のユーザＩＤを付加した予約データをカラオケ装置４へ送信する処理を実行する。また、制御部５２は、インターネット２００を介してカラオケ用ホストサーバ２へアクセスし、カラオケ用ホストサーバ２から受信したデータに基づいて個人用Ｗｅｂページの閲覧・更新を行うための各種処理を実行する。なお、リモコン端末５は、複数のユーザのアカウントごとに並行してシステムにログイン可能に構成されている。これらの処理についての詳細な説明は後述する。
【００４５】
［その他の構成の説明］
上述のＬＡＮ１００にはアクセスポイント１１０が接続されている。このアクセスポイント１１０は、無線通信で端末間を接続するための電波中継機であり、複数の端末と同時に通信を行う機能を有する。リモコン端末５とカラオケ用ホストサーバ２とは、このアクセスポイント１１０を中継することによって、ＬＡＮ１００及びインターネット２００上のＶＰＮを介して互いにデータ通信を行うことができる。
【００４６】
ルータ１２０，１３０は、インターネットネット２００等の外部ネットワーク上の通信経路を暗号化して、仮想的に専用回線で接続されている状態を作り出すＶＰＮ技術を利用するためのいわゆるＶＰＮゲートウェイである。ルータ１２０，１３０は、外部ネットワークであるインターネット２００と、内部ネットワークであるＬＡＮ１００及びカラオケ用ホストサーバ２側のネットワークとの接続点にそれぞれ置かれ、内部ネットワークからの通信を暗号化してインターネット２００側に送出する。また、インターネット２００側からの通信を復号化して内部ネットワークへ送出する。
【００４７】
以上、実施形態のカラオケネットワークシステム１の構成について説明したが、本実施形態におけるカラオケネットワークシステム１の構成と、特許請求の範囲に記載した構成との対応は次のとおりである。
【００４８】
本実施形態のカラオケ用ホストサーバ２及びインターネット用ホストサーバ３が、特許請求の範囲におけるホストサーバに相当し、パソコン６ａ及び携帯電話６ｂ等からなるユーザ端末６が情報端末に相当する。また、カラオケ用ホストサーバ２及びインターネット用ホストサーバ３内のＷｅｂサーバ２ａ，３ａが認証手段及び配信手段に相当する。また、カラオケ用ホストサーバ２内のデータベース２ｂが記憶手段に相当する。また、カラオケ装置４における制御部１２が情報送信手段及び制限情報送信手段に相当する。また、リモコン端末５における制御部５２がリモコン端末における情報表示手段及び情報更新手段に相当する。また、パソコン６ａ及び携帯電話６ｂ等からなるユーザ端末６が備えるＷｅｂブラウザ機能が情報端末における情報表示手段及び情報更新手段に相当する。
【００４９】
［リモコン端末５及びユーザ端末６から行う「ユーザ登録」の説明］
本実施形態のカラオケネットワークシステム１では、ユーザは、予め登録された当該ユーザのアカウントによってシステムにログインすることで、初めて個人用Ｗｅｂページの閲覧・更新サービスを利用することが可能になる。ここでは、ユーザがリモコン端末５やユーザ端末６を利用して、個人用Ｗｅｂページの閲覧・更新サービスを利用するためのアカウントを取得する「ユーザ登録」の手順について説明する。
【００５０】
なお、以下においては説明の便宜上、例えば「リモコン端末５、ユーザ端末６からホストサーバ内のＷｅｂサーバに接続する」といった具合に、カラオケ用ホストサーバ２とインターネット用ホストサーバ３とを、又はＷｅｂサーバ２ａ，３ａとを特に区別せずに単にホストサーバ、Ｗｅｂサーバ等と表記する場合、リモコン端末５はカラオケ用ホストサーバ２内のＷｅｂサーバ２ａへ、ユーザ端末６はインターネット用ホストサーバ３内のＷｅｂサーバ３ａへそれぞれ接続することを指す。
【００５１】
図３は、リモコン端末５及びユーザ端末６によって「ユーザ登録」を行う際の画面表示例を示す説明図である。
リモコン端末５の場合、まず、図３（ａ）に示すようなＴＯＰメニュー画面７０がリモコン端末５の表示部５８に表示される。このＴＯＰメニュー画面７０には、「ネットワーク」ボタン８０及び「カラオケ」ボタン８１が表示されている。これらのボタンは、表示部５８上のタッチパネルや適宜なポインティングデバイス等によって画面上で操作可能なＧＵＩである（以下、他のボタンについても同様）。「ネットワーク」ボタン８０は、個人用Ｗｅｂページの閲覧・更新サービスを利用するための操作画面へ移行するためのボタンである。また、「カラオケ」ボタン８１は、演奏楽曲の選択等といったカラオケサービスに関する操作画面へ移行するためのボタンである。ここで、ユーザによって「ネットワーク」ボタン８０が押下されると、図３（ｂ）に示すような、ネットワークメニュー画面７１が表示される。
【００５２】
一方、パソコン６ａや携帯電話６ｂ等のユーザ端末６の場合、ユーザからの指示入力に基づいて、リモコン端末５の場合と同様に図３（ｂ）に示すようなネットワークメニュー画面７１が、ユーザ端末６が備えるモニタ等の表示デバイスに最初に表示される。なお、このネットワークメニュー画面７１や後述の各種画面は、リモコン端末５やユーザ端末６が備えるユーザ登録用のアプリケーションソフトウェア等として予め格納されているデータに基づいて表示されるように構成することが考えられる。あるいは、インターネット２００を介して、リモコン端末５又はユーザ端末６からホストサーバ内のＷｅｂサーバへそれぞれ接続し、各Ｗｅｂサーバから配信されるＷｅｂページに基づいて表示されるような構成であってもよい。
【００５３】
図３（ｂ）に示すネットワークメニュー画面７１は、個人用Ｗｅｂページの閲覧・更新サービスを利用するための操作メニューを表示する画面であり、既に登録済みのユーザがシステムにログインするためのログイン画面へ移行するための「ログイン」ボタン８２や、新規のユーザがアカウントを取得するための「新規ユーザ登録」ボタン８３等が表示されている。ここで、タッチパネル、キースイッチやポインティングデバイス等を介して「新規ユーザ登録」ボタン８３が押下されると、図３（ｃ）に示すようなユーザ登録画面７２が表示される。
【００５４】
図３（ｃ）に示すユーザ登録画面７２は、新規のユーザがアカウントを取得するために、システム上でのユーザの呼称となるニックネーム及びユーザ認証用のパスワードの入力をユーザ対して要求するための画面である。ここで、ユーザからの操作によってユーザ登録画面７２内の入力ボックス内にニックネーム及びパスワードが入力された後「ＯＫ」ボタン８４ａが押下されると、ユーザ登録を要求するための登録要求情報と共に、ユーザによって入力されたニックネーム及びパスワードを示すデータが当該端末に対応するホストサーバ内のＷｅｂサーバへインターネット２００を介して送信される。
【００５５】
リモコン端末５又はユーザ端末６から送信された登録要求情報、当該ユーザのニックネーム及びパスワードを受信したホストサーバ内のＷｅｂサーバは、まず、ユーザごとに固有の識別情報であるユーザＩＤを生成する。そして、受信した内容に基づいてカラオケ用ホストサーバ２内のデータベース２ｂ内に設けられたユーザ登録データベース２ｃ（詳細は後述）に当該ユーザのニックネーム、ユーザＩＤ、パスワード等の所定の情報を新たにに登録する。
【００５６】
つぎに、ユーザ登録が完了した旨の情報とユーザＩＤとをユーザに対して通知するための登録完了情報を生成し、この登録完了情報を登録要求情報の送信元であるリモコン端末５又はユーザ端末６に対して返信する。なお、Ｗｅｂサーバが、リモコン端末５又はユーザ端末６等に登録完了情報を返信する際には、当該ユーザがシステムにログインするためのユーザＩＤ及びパスワード、及びこれらをホストサーバ内のＷｅｂサーバに対して送信するための接続先に関する情報（例えば、ＷｅｂサーバのＵＲＬ）等を記録したＱＲコード（登録商標）であるログイン用ＱＲコードを生成し、このログイン用ＱＲコードを表示するためのデータを一緒に送信してもよい。
【００５７】
リモコン端末５又はユーザ端末６がホストサーバから登録完了情報を受信すると、この受信した登録完了情報に基づいて、図３（ｄ）に示すようなユーザ登録完了画面７３が表示される。ここでは、ユーザ登録完了画面７３にニックネーム「Ｍｉｋｅ０６」さんのユーザ登録が完了した旨を通知する旨のメッセージ、「Ｍｉｋｅ０６」さんのユーザＩＤ、及び上述のログイン用ＱＲコード８５等が表示されている。
【００５８】
ホストサーバ側が発行するユーザＩＤは、ユーザがリモコン端末５又はユーザ端末６からシステムにログインする際にパスワードと共に入力が必要となる認証用の識別情報である。したがって、ユーザは、このユーザ登録完了画面７３によって自身に割り当てられたユーザＩＤを確認する。
【００５９】
また、ユーザ登録完了画面７３に表示されているログイン用ＱＲコード８５には、当該ユーザのユーザＩＤ及びパスワード、及びこれらをホストサーバ内のＷｅｂサーバに対して送信するための接続先に関する情報等が記録されているため、これをユーザが所有する携帯電話６ｂに保存しておき、必要なときにロードすることで、ログインする度にユーザＩＤ及びパスワードをいちいち入力することなく、簡単にシステムにログインすることができる。
【００６０】
ユーザ登録完了画面７３において、ユーザによって「ＯＫ」ボタン８４ｂが押下されると、「ユーザ登録」が終了する。
［ユーザ登録データベース２ｃ、個人用Ｗｅｂページデータベース２ｄの説明］
ここで、カラオケ用ホストサーバ２内のデータベース２ｂに格納されているユーザ登録データベース２ｃ及び個人用Ｗｅｂページデータベース２ｄの具体的な内容について説明する。
【００６１】
図４（ａ）は、ユーザ登録データベース２ｃの具体的内容を示す説明図である。このユーザ登録データベース２ｃは、上記「ユーザ登録」を経て登録された各ユーザのニックネーム、ユーザＩＤ、パスワード、及び当該ユーザの個人用Ｗｅｂページデータの格納先を示すパス等の各種情報を含むユーザ登録データのテーブルである。
【００６２】
本実施形態のカラオケネットワークシステム１では、各ホストサーバ内のＷｅｂサーバがこのユーザ登録データベース２ｃを参照することにより、ログインを要求してきたユーザに対する認証、ユーザとニックネームとの対応付け、ユーザと当該ユーザの個人用Ｗｅｂページとの対応付けを行う。
【００６３】
個人用Ｗｅｂページデータベース２ｄ（図４（ｂ）参照）は、ユーザ登録データベースに登録されている各ユーザの個人用Ｗｅｂページのデータを格納している。個人用Ｗｅｂページのデータは、個人用Ｗｅｂページを所定の様式でリモコン端末５やユーザ端末６が備えるＷｅｂブラウザによって表示するためのデータのまとまりで、テキストデータやＨＴＭＬによるレイアウト情報、画像・音声・動画データ等から構成される。
【００６４】
このような個人用Ｗｅｂページのデータは、上述の「ユーザ登録」が行われた際に、新規登録されたユーザのための個人用Ｗｅｂページの雛形のデータを自動的に生成し、この雛形のデータを個人用Ｗｅｂページデータベース２ｄに格納すると共に、この個人用Ｗｅｂページの雛形のデータの格納先のパスをユーザ登録データベース２ｃの当該ユーザのユーザ登録データに登録しておくことが考えられる。このようにすることで、後にこのユーザが個人用Ｗｅｂページの雛形に基づいて簡単に自身の個人用Ｗｅｂページを編集することができる。
【００６５】
なお、本実施形態において、個人用Ｗｅｂページは、カラオケ装置４を利用したユーザの歌唱履歴、十八番の楽曲、歌唱に対する採点結果等に関する情報である「カラオケ情報」や、ユーザから提供される公開情報である「プロフィール」、「メッセージ」といった情報をコンテンツとして有する。図４（ｃ）は、これらのコンテンツを有する個人用ＷｅｂページのＷｅｂブラウザ上での表示例を示す図である。ここでは、Ｗｅｂページのタイトルとしてニックネーム「Ｍｉｋｅ０６」さんの個人用Ｗｅｂページである旨が表示されている。そして、この「Ｍｉｋｅ０６」さんの「プロフィール」、「メッセージ」、「カラオケ情報」といったコンテンツごとに、種々の情報が表示されている。
【００６６】
以下、上述の「ユーザ登録」によって登録されたユーザがシステムにログインし、個人用Ｗｅｂページを閲覧したり更新したりするための手順について説明する。
［個人用Ｗｅｂページ閲覧・更新処理の説明］
図５は、リモコン端末５及びユーザ端末６が実行する「個人用Ｗｅｂページ閲覧・更新処理」のメイン処理の手順を示すフローチャートである。また、図６は、この「個人用Ｗｅｂページ閲覧・更新処理」における画面表示例を示す説明図である。この「個人用Ｗｅｂページ閲覧・更新処理」は、リモコン端末５又はユーザ端末６からホストサーバ内のＷｅｂサーバにアクセスしてログインすることによって、Ｗｅｂサーバから配信される個人用Ｗｅｂページの閲覧や更新を行うための処理である。
【００６７】
まず、ログイン画面を表示する（ステップ１０１。以下、ステップを記号Ｓで表記する。）。ここでは、図６（ａ）のネットワークメニュー画面７１（上述の「ユーザ登録」で説明済み。図３参照。）において「ログイン」ボタン８２が押下されることで、図６（ｂ）のログイン画面７４が表示される。このログイン画面７４には、ユーザＩＤ及びパスワードを入力するための入力ボックスがそれぞれ表示されている。
【００６８】
図５のフローチャートの説明に戻る。Ｓ１０１でログイン画面を表示した後、ユーザによってユーザＩＤ及びパスワードが入力されたか否かを判定する（Ｓ１０２）。ここで、ユーザＩＤ及びパスワードが入力されていないと判定した場合（Ｓ１０２：ＮＯ）、この処理を繰り返す。
【００６９】
一方、ユーザによってユーザＩＤ及びパスワードが入力されたと判定した場合（Ｓ１０２：ＹＥＳ）、入力されたユーザＩＤ及びパスワードをシステムへのログインを要求する情報と共にホストサーバ内のＷｅｂサーバへ送信する（Ｓ１０３）。
【００７０】
すなわち、図６（ｂ）のログイン画面７４において、ユーザによってユーザＩＤ及びパスワードがそれぞれの入力ボックスに入力された後、「ＯＫ」ボタン８４ｃが押下されることで、入力されたユーザＩＤ、パスワード及びシステムへのログインを要求するための情報がホストサーバ内のＷｅｂサーバへ送信される。
【００７１】
なお、ここでは、上述の「ユーザ登録」の際に発行されたログイン用ＱＲコード８５（図３参照）が携帯電話６ｂ等に保存されている場合、このログイン用ＱＲコードをロードすることによって、ユーザＩＤ、パスワード及びシステムへのログインを要求するための情報をホストサーバ内のＷｅｂサーバへ送信することもできる。
【００７２】
図５のフローチャートの説明に戻る。Ｓ１０４では、ログインが許可されたか否かを判定する。具体的には、ログインを要求した先のホストサーバ内のＷｅｂサーバから送信されてきたログインの可否情報に基づいて、ログインが許可されたか否かを判定する。ここで、ログインが許可されないと判定した場合（Ｓ１０４：ＮＯ）、すなわち、ユーザが誤ったユーザＩＤやパスワードを入力した等の何らかの不都合により、ホストサーバ内のＷｅｂサーバからログインを許可しない旨の情報が送信されてきた場合、ログインに失敗した旨のメッセージを画面に表示して（Ｓ１０５）、Ｓ１０１の処理へ戻る。
【００７３】
一方、ログインが許可された判定した場合（Ｓ１０４：ＹＥＳ）、すなわち、ユーザが正しいユーザＩＤ及びパスワードを入力したことで、ホストサーバ内のＷｅｂサーバからログインを許可する旨の情報が送信されてきた場合、ユーザＴＯＰメニュー画面を表示する（Ｓ１０６）。
【００７４】
図６（ｃ）は、パソコン６ａ、携帯電話６ｂ等のユーザ端末６におけるユーザＴＯＰメニュー画面７５の表示例である。このユーザＴＯＰメニュー画面７５は、ログインしたユーザが利用したいサービスを選択するための画面である。ここでは、ログインしたユーザのニックネーム「Ｍｉｋｅ０６」、当該ユーザ又は他のユーザの個人用Ｗｅｂページの閲覧を選択するための「Ｗｅｂページ閲覧」ボタン８６、当該ユーザの個人用Ｗｅｂページの更新を選択するための「Ｗｅｂページ更新」ボタン８７、システムからのログアウトを選択するための「ログアウト」ボタン８８等が表示されている。
【００７５】
一方、図６（ｄ）は、リモコン端末５におけるユーザＴＯＰメニュー画面７６の表示例である。このユーザＴＯＰメニュー画面７６は、図６（ｃ）に示すユーザ端末６用のユーザＴＯＰメニュー画面７５と同様に、ログインしたユーザが利用したいサービスを選択するための画面であるが、「Ｍｉｋｅ０６」さん、「Ａｌｅｘ」さん、「Ｊｏｅ」さんといった、ログイン中の複数のユーザそれぞれに対応するユーザＴＯＰメニュー画面７６を選択的に表示可能に構成されている。ここで、操作を行うユーザの選択は、各ユーザのニックネームが表示されたユーザ選択タブ９０を押下することで行うことができ、現在選択中のユーザに対応するユーザＴＯＰメニュー画面７６がポップアップ表示される。
【００７６】
リモコン端末５におけるユーザＴＯＰメニュー画面７６が、ユーザ端末６におけるユーザＴＯＰメニュー画面７５と異なり、ログイン中の複数のユーザそれぞれに対応するユーザＴＯＰメニュー画面７６を選択的に表示可能に構成されているのは、次のような理由による。すなわち、リモコン端末５は、カラオケルームにおいて複数のユーザによって共用されることが想定されている。したがって、１台のリモコン端末５を共用する全てのユーザに対して個人用Ｗｅｂページの閲覧・更新サービスを利用可能にするために、リモコン端末５は、ユーザ端末６とは異なり、複数のユーザが並行してログイン可能に構成されている。
【００７７】
ユーザＴＯＰメニュー画面７６には、現在選択中のユーザのニックネーム「Ｍｉｋｅ０６」、当該ユーザユーザ又は他のユーザの個人用Ｗｅｂページの閲覧を選択するための「Ｗｅｂページ閲覧」ボタン８６、当該ユーザの個人用Ｗｅｂページの更新を選択するための「Ｗｅｂページ更新」ボタン８７、当該ユーザがシステムからのログアウトを選択するための「ログアウト」ボタン８８等の他に、既にユーザがログイン中であっても、新たなユーザがログインしたり、新規ユーザに対する上述の「ユーザ登録」を行えるように、図６（ａ）のネットワークメニュー画面７１へ戻るための「ネットワークＴＯＰメニューへ」ボタン８９が表示されている。
【００７８】
図５のフローチャートの説明に戻る。Ｓ１０６でユーザＴＯＰメニュー画面を表示した後、ユーザからの入力に基づいて各種処理を選択する（Ｓ１０７）。具体的には、ユーザＴＯＰメニュー画面７５，７６において、ユーザによって「Ｗｅｂページ閲覧」ボタン８６、「Ｗｅｂページ更新」ボタン８７、「ログアウト」ボタン８８等の何れかが押下されたことを検知し、押下されたボタンに対応する処理を実行する。
【００７９】
Ｓ１０７において、「Ｗｅｂページ閲覧」ボタン８６が押下されたと判定した場合（Ｓ１０７：閲覧）、ユーザが閲覧を希望する個人用Ｗｅｂページを指定する指示をユーザから受け付け、指定された個人用Ｗｅｂページのデータの送信を要求する情報をホストサーバ内のＷｅｂサーバへ送信する（Ｓ１０８）。ここで、閲覧を希望する個人用Ｗｅｂページをユーザが指定するには、例えば、閲覧を希望する個人用Ｗｅｂページを所有するユーザのニックネームを入力することが考えられる。つまり、「Ｍｉｋｅ０６」さんが「Ａｌｅｘ」さんの個人用Ｗｅｂページを閲覧したい場合は、閲覧したい個人用Ｗｅｂページを指定する情報として、ニックネーム「Ａｌｅｘ」を入力すればよい。
【００８０】
そして、個人用Ｗｅｂページのデータの送信を要求した先のホストサーバ内のＷｅｂサーバから送信されてきた個人用Ｗｅｂページのデータを受信し、この受信したデータに基づいて、Ｗｅｂブラウザを介して図４（ｃ）に示すような個人用Ｗｅｂページを表示する（Ｓ１０９）。ここで、個人用Ｗｅｂページの閲覧を終了する旨の指示がユーザから入力されると、Ｓ１０６の処理へ戻る。
【００８１】
一方、Ｓ１０７において、「Ｗｅｂページ更新」ボタン８７が押下されたと判定した場合（Ｓ１０７：更新）、当該ユーザの個人用Ｗｅｂページを更新するためのデータの送信を要求する情報をホストサーバ内のＷｅｂサーバへ送信する（Ｓ１１０）。
【００８２】
そして、個人用Ｗｅｂページ更新用のデータの送信を要求した先のＷｅｂサーバから送信されてきた個人用Ｗｅｂページ更新用のデータを受信し、この受信したデータに基づいて個人用Ｗｅｂページ更新用の画面を表示してユーザからの更新操作を受け付ける（Ｓ１１１）。なお、ここでユーザが更新できる個人用Ｗｅｂページは、ログイン中のユーザ本人のものに限られ、他のユーザが所有する個人用Ｗｅｂページの更新できない。
【００８３】
Ｓ１１１においてユーザから個人用Ｗｅｂページを更新する（例えば、上述の「プロフィール」、「メッセージ」、「カラオケ情報」等の各コンテンツの内容を更新する）ための操作を受け付け、ユーザから更新が完了した旨の指示が入力されると、更新されたデータをホストサーバ内のＷｅｂサーバへ送信し（Ｓ１１２）、Ｓ１０６の処理へ戻る。
【００８４】
一方、Ｓ１０７において、「ログアウト」ボタン８８が押下されたと判定した場合（Ｓ１０７：ログアウト）、当該ユーザのログアウトを要求する旨の情報をホストサーバ内のＷｅｂサーバへ送信する（Ｓ１１３）。そして、当該ユーザがログアウトした旨のメッセージを表示し（Ｓ１１４）、当該ユーザのアカウントに対する「個人用Ｗｅｂページ閲覧・更新処理」を終了する。
【００８５】
図７は、リモコン端末５及びユーザ端末６において実行される「個人用Ｗｅｂページ閲覧・更新処理」に対応してカラオケ用ホストサーバ２又はインターネット用ホストサーバ３内のＷｅｂサーバ２ａ，３ａが実行する「個人用Ｗｅｂページ閲覧・更新サービス処理」のメイン処理の手順を示すフローチャートである。
【００８６】
まず、リモコン端末５又はユーザ端末６からユーザのログインを要求するための情報が送信されてきたか否かを判定する（Ｓ２０１）。ここで、ユーザのログインを要求するための情報が送信されてきていないと判定した場合（Ｓ２０１：ＮＯ）、この処理を繰り返す。
【００８７】
そして、ユーザのログインを要求するための情報が送信されてきたと判定した場合（Ｓ２０１：ＹＥＳ）、ユーザのログインを要求するための情報と共に送信されてきたユーザＩＤ及びパスワードを、データベース２ｂに格納されているユーザ登録データベース２ｃ（図４（ａ）参照）に登録されているユーザＩＤ及パスワードと照合することで、ログインを要求してきたユーザの認証の可否を判定する（Ｓ２０２）。
【００８８】
ここで、送信されてきたユーザＩＤ及びパスワードが、ユーザ登録データベース２ｃに登録されているユーザＩＤ及びパスワードと適合しないと判定した場合（Ｓ２０２：ＮＯ、認証ＮＧ）、ログインを要求する情報の送信元であるリモコン端末５又はユーザ端末６に対してログインを許可しない旨の情報を送信し（Ｓ２０４）、「個人用Ｗｅｂページ閲覧・更新サービス処理」を終了する。
【００８９】
一方、Ｓ２０２において、送信されてきたユーザＩＤ及びパスワードが、ユーザ登録データベース２ｃに登録されているユーザＩＤ及びパスワードと適合すると判定した場合（Ｓ２０２：ＹＥＳ、認証ＯＫ）、当該ユーザＩＤ及びパスワードに対応するユーザのログインを開始し（Ｓ２０３）、当該ユーザのログインを許可する旨の情報を、ログインを要求する情報の送信元のリモコン端末５又はユーザ端末６へ送信する（Ｓ２０５）。
【００９０】
そして、ログインを開始したユーザに対応するリモコン端末５又はユーザ端末６からの要求に応じて、各種処理を選択する（Ｓ２０６）。
具体的には、ログイン中のユーザに対応するリモコン端末５又はユーザ端末６から個人用Ｗｅｂページのデータの送信を要求する情報を受信した場合（Ｓ２０６：閲覧）、指定された個人用Ｗｅｂページのデータをデータベース２ｂに格納されている個人用Ｗｅｂページデータベース２ｄ（図４（ｂ）参照）から読み出し、この読み出したデータを要求元のリモコン端末５又はユーザ端末６へ送信する（Ｓ２０７）。
【００９１】
一方、Ｓ２０６において、ログイン中のユーザに対応するリモコン端末５又はユーザ端末６から個人用Ｗｅｂページのデータの更新を要求する情報を受信した場合（Ｓ２０６：更新）、個人用Ｗｅｂページデータベース２ｄ（図４（ｂ）参照）内に格納されている当該ユーザの個人用Ｗｅｂページのデータに基づいて、個人用Ｗｅｂページ更新用のデータを要求元のリモコン端末５又はユーザ端末６へ送信する（Ｓ２０８）。そして、当該リモコン端末５又はユーザ端末６から送信されてきた更新データに基づいて、個人用Ｗｅｂページデータベース２ｄ内に格納されている当該ユーザの個人用Ｗｅｂページのデータを更新する（Ｓ２０９）。
【００９２】
一方、Ｓ２０６において、ログイン中のユーザに対応するリモコン端末５又はユーザ端末６からログアウトを要求する情報を受信した場合（Ｓ２０６：ログアウト）、当該ユーザに対するログアウト処理を実行し（Ｓ２１０）、当該ユーザのアカウントに対する「個人用Ｗｅｂページ閲覧・更新サービス処理」を終了する。
【００９３】
［カラオケルームにおけるリモコン端末５による楽曲予約、歌唱中の処理の説明］
本実施形態のカラオケネットワークシステム１では、上述の「ユーザ登録」において登録済みのユーザであれば、ユーザがカラオケルームでカラオケを行う際、リモコン端末５からシステムにログインすることで、ユーザが行うカラオケ歌唱を当該ユーザのアカウントに対応付けることが可能になる。そして、当該ユーザに対応する歌唱履歴等のカラオケ歌唱情報をカラオケ装置４からカラオケ用ホストサーバ２へ送信することで、当該ユーザのカラオケ歌唱に関する情報をカラオケ用ホストサーバ２のデータベース２ｂに蓄積できる。
【００９４】
また、グループでカラオケを行う場合、リモコン端末５を介してグループのメンバーがシステムにログインすることで、メンバー同士で個人用Ｗｅｂページを閲覧しあうことが可能になり、個人用Ｗｅｂページに公開されているプロフィールやカラオケ情報等を互いに共有することができる。このとき、カラオケを歌唱している最中のユーザのアカウントについては、当該ユーザがカラオケ歌唱に夢中になっている間に、リモコン端末５を使って他のユーザが歌唱中のユーザの個人用Ｗｅｂページを勝手に更新してしまわないようするための処理を行う。
【００９５】
以下、リモコン端末５を用いてログイン中のユーザが演奏楽曲の予約を行う手順及び、ログイン中のユーザの歌唱中において、当該ユーザの個人用Ｗｅｂページの更新を制限するための処理について説明する。
【００９６】
図８は、ログイン中のユーザがリモコン端末５を用いてカラオケの演奏楽曲の予約を行う際の、リモコン端末５の表示部５８における画面表示例を示す説明図である。
図８（ａ）に示す上述のＴＯＰメニュー画面７０において、ユーザが「カラオケ」ボタン８１を押下すると、図８（ｂ）に示す演奏楽曲予約画面７７が表示される。この演奏楽曲予約画面７７は、ユーザが歌唱したい楽曲を入力するための画面であるが、「Ｍｉｋｅ０６」さん、「Ａｌｅｘ」さん、「Ｊｏｅ」さんといったログイン中の複数のユーザ、あるいは、ログインしていないユーザに対応する「その他」といった、それぞれのユーザに対応する演奏楽曲予約画面７７を選択的に表示可能に構成されている。ここで、楽曲予約のための操作を行うユーザの選択は、各ユーザのニックネームが表示されたユーザ選択タブ９０を押下することで行うことができ、現在選択中のユーザに対応する演奏楽曲予約画面７７がポップアップ表示される。
【００９７】
この演奏楽曲予約画面７７において、ユーザが歌唱したい楽曲や、演奏時のキー設定を入力した後、「予約」ボタン９１を押下することで、リモコン端末５の赤外線通信部５４を介して、演奏楽曲の予約データが、予約するユーザのユーザＩＤ及びニックネームのデータと共に赤外線通信によってカラオケ装置４に送信される。
【００９８】
そして、カラオケ装置４から演奏楽曲の予約を受け付けた旨の情報をリモコン端末５が受信すると、図８（ｄ）に示すように、当該ユーザの演奏楽曲予約画面７７上に予約を受け付けた旨のメッセージが表示される。
【００９９】
一方、カラオケ装置４は、リモコン端末５から予約データ等を受信すると、この受信した予約データ等に基づいて、新規に予約された楽曲の曲番号及びキー設定をユーザＩＤ及びニックネームに対応させて、カラオケ装置４内のメモリ４０等に格納されている予約楽曲テーブル７８（図８（ｅ）参照）の最下位に追加する。
【０１００】
図９（ａ）は、リモコン端末５が実行する「個人用Ｗｅｂページ更新制限処理」の手順を示すフローチャートである。この「個人用Ｗｅｂページ更新制限処理」は、ログイン中のユーザの歌唱中において、当該ユーザのアカウントで個人用Ｗｅｂページの更新を制限するための処理である。
【０１０１】
まず、ログイン中の全てのユーザの個人用Ｗｅｂページの閲覧及び更新を許可する（Ｓ３０１）。そして、カラオケ装置４から「更新禁止指示」を受信したか否かを判定する（Ｓ３０２）。この「更新禁止指示」は、カラオケ装置４が実行する後述の「個人用Ｗｅｂページ更新禁止指示処理」において、ログイン中のユーザに対応する楽曲の演奏中に所定のタイミングで送信されてくる情報である。
【０１０２】
Ｓ３０２において、「更新禁止指示」を受信していないと判定した場合（Ｓ３０２：ＮＯ）、この処理を繰り返す。
一方、「更新禁止指示」を受信したと判定した場合（Ｓ３０２：ＹＥＳ）、受信した情報に基づき、該当するユーザのアカウントにおいて、当該ユーザの個人用Ｗｅｂページの更新を禁止する（Ｓ３０３）。そして、リモコン端末５の表示部５８に、当該ユーザの個人用Ｗｅｂページの更新を禁止する旨のメッセージを表示する（Ｓ３０４）。具体的には、図９（ｂ）に示すように、「更新禁止指示」が「Ｍｉｋｅ０６」さんを対象とするものである場合、上述の「Ｍｉｋｅ０６」さんのユーザＴＯＰメニュー画面７６において、「Ｗｅｂページ更新」ボタン８７に対する操作を無効にすると共に、操作禁止を示すマーク９２を表示する。さらに、「只今更新できません。」といったメッセージを表示する。
【０１０３】
つづいて、Ｓ３０５では、「更新禁止解除指示」を受信したか否かを判定する。この「更新禁止解除指示」は、カラオケ装置４が実行する後述の「個人用Ｗｅｂページ更新禁止指示処理」において、ログイン中のユーザに対応する楽曲の演奏終了時又は演奏中の所定のタイミングで送信されてくる情報である。
【０１０４】
Ｓ３０５において、「更新禁止解除指示」を受信していないと判定した場合（Ｓ３０５：ＮＯ）、この処理を繰り返す。
一方、「更新禁止解除指示」を受信したと判定した場合（Ｓ３０５：ＹＥＳ）、受信した情報に基づき、該当するユーザのアカウントにおいて、当該ユーザの個人用Ｗｅｂページの更新を許可する（Ｓ３０６）。そして、リモコン端末５の表示部５８に、当該ユーザの個人用Ｗｅｂページの更新を解禁する旨のメッセージを表示する（Ｓ３０７）。具体的には、図９（ｃ）に示すように、「更新禁止解除指示」が「Ｍｉｋｅ０６」さんを対象とするものである場合、「Ｍｉｋｅ０６」さんのユーザＴＯＰメニュー画面７６において、「Ｗｅｂページ更新」ボタン８７に対する操作を有効にすると共に、操作禁止を示すマーク９２の表示を中止する。さらに、「更新禁止を解除しました。」といったメッセージを表示する。
【０１０５】
図１０は、カラオケ装置４が実行する「個人用Ｗｅｂページ更新禁止指示処理（第１実施形態）」の手順を示すフローチャートである。
まず、予約楽曲テーブル７８（図８（ｅ）参照）に登録されている予約楽曲の演奏が開始されたか否かを判定する（Ｓ４０１）。ここで、予約楽曲の演奏が開始されていないと判定した場合（Ｓ４０１：ＮＯ）、この処理を繰り返す。
【０１０６】
そして、予約楽曲の演奏が開始されたと判定した場合（Ｓ４０１：ＹＥＳ）、演奏を開始した楽曲に対応するユーザ（すなわち、当該楽曲を予約したユーザ）の個人用Ｗｅｂページに対する更新の禁止を指示する旨の「更新禁止指示」を、カラオケ装置４からアクセスポイント１１０を介して行う無線ＬＡＮ通信１１５によってリモコン端末５へ送信する（Ｓ４０２）。なお、ここでは、無線ＬＡＮ通信１１５の代わりに、赤外線通信部２０を介して「更新禁止指示」を送信してもよい。以下、他のステップにおけるカラオケ装置４とリモコン端末５と間の通信についても同様である。
【０１０７】
つづいて、当該楽曲の演奏が終了したか否かを判定する（Ｓ４０３）。ここで、演奏が終了していないと判定した場合（Ｓ４０３：ＮＯ）、この処理を繰り返す。
そして、当該楽曲の演奏が終了したと判定した場合（Ｓ４０３：ＹＥＳ）、演奏を終了した楽曲に対応するユーザ（すなわち、当該楽曲を予約したユーザ）の個人用Ｗｅｂページに対する更新の解禁を指示する旨の「更新禁止解除指示」を、カラオケ装置４からアクセスポイント１１０を介して行う無線ＬＡＮ通信１１５によってリモコン端末５へ送信する（Ｓ４０４）。
【０１０８】
つぎに、当該楽曲に対応するユーザ（すなわち、当該楽曲を予約したユーザ）の今回の歌唱に関するカラオケ歌唱情報を生成し、このカラオケ歌唱情報をインターネット２００を介してカラオケ用ホストサーバ２へ送信し（Ｓ４０５）、「個人用Ｗｅｂページ更新禁止指示処理（第１実施形態）」を終了する。具体的には、当該ユーザの歌唱履歴として今回の演奏楽曲の楽曲名、歌唱したときの音高キー、歌唱時間等を含む情報を送信したり、ユーザの行った歌唱に対して採点を行った場合は、その採点情報を送信したりする。カラオケ用ホストサーバ２内のＷｅｂサーバ２ａは、カラオケ装置４から送信されてきたカラオケ歌唱情報に基づき、このカラオケ歌唱情報に対応するユーザの個人用Ｗｅｂページにカラオケ歌唱履歴や採点情報を追加したり、別途、ユーザごとの歌唱履歴データベースを設けて、そこに登録したりする。
【０１０９】
上述の「個人用Ｗｅｂページ更新禁止指示処理（第１実施形態）」によれば、リモコン端末５によってログイン中のユーザのアカウントにおける個人用Ｗｅｂページに対するアクセス権は、図１２に示すように推移する。
【０１１０】
図１２に示すように、「Ｍｉｋｅ０６」さんがリモコン端末５を用いてシステムにログインすることで、「Ｍｉｋｅ０６」さんのアカウントでは、「Ｍｉｋｅ０６」さんの個人用Ｗｅｂページに対しては閲覧及び更新の両方が可能であり、他のユーザの個人用Ｗｅｂページに対しては閲覧のみ可能である。
【０１１１】
ここで、「Ｍｉｋｅ０６」さんが予約した楽曲の演奏が開始されると、「Ｍｉｋｅ０６」さんの個人用Ｗｅｂページに対しての更新が禁止され、閲覧のみ可能となる。一方、他のユーザの個人用Ｗｅｂページについては、閲覧のみ可能な状態が継続している。
【０１１２】
そして、「Ｍｉｋｅ０６」さんが予約した楽曲の演奏が終了すると、「Ｍｉｋｅ０６」さんの個人用Ｗｅｂページに対する更新が解禁され、再び閲覧及び更新の両方が可能になる。
【０１１３】
このように、楽曲の演奏開始及び終了のタイミングに合わせて、この楽曲に対応するユーザの個人用Ｗｅｂページに対するアクセス権を制御することで、当該ユーザがカラオケ歌唱に夢中になっている間に、歌唱中のユーザがログインしているリモコン端末５を使って他のユーザが歌唱中のユーザの個人用Ｗｅｂページを勝手に更新してしまうことを防げる。
【０１１４】
図１１は、カラオケ装置４が実行する「個人用Ｗｅｂページ更新禁止指示処理（第２実施形態）」の手順を示すフローチャートである。
まず、予約楽曲テーブル７８（図８（ｅ）参照）に登録されている予約楽曲の演奏が開始されたか否かを判定する（Ｓ５０１）。ここで、予約楽曲の演奏が開始されていないと判定した場合（Ｓ５０１：ＮＯ）、この処理を繰り返す。
【０１１５】
そして、予約楽曲の演奏が開始されたと判定した場合（Ｓ５０１：ＹＥＳ）、つづいて、当該楽曲の演奏が終了したか否かを判定する（Ｓ５０２）。ここで、演奏が終了していないと判定した場合（Ｓ５０２：ＮＯ）、演奏中の楽曲の楽曲データの中から「更新禁止フラグ」を検出したか否かを判定する（Ｓ５０３）。この「更新禁止フラグ」は、楽曲の演奏データ内の歌唱が始まるタイミング等に対応する位置に予め埋め込まれている情報であり、「更新禁止指示」をリモコン端末５に対して送信するタイミングを指定するためのものである。
【０１１６】
Ｓ５０３において「更新禁止フラグ」を検出していないと判定した場合（Ｓ５０３：ＮＯ）、Ｓ５０２の処理へ戻る。
そして、Ｓ５０３において「更新禁止フラグ」を検出したと判定した場合（Ｓ５０３：ＹＥＳ）、現在演奏中の楽曲に対応するユーザ（すなわち、当該楽曲を予約したユーザ）の個人用Ｗｅｂページに対する更新の禁止を指示する旨の「更新禁止指示」を、カラオケ装置４からアクセスポイント１１０を介して行う無線ＬＡＮ通信１１５によってリモコン端末５へ送信する（Ｓ５０４）。
【０１１７】
つぎに、演奏中の楽曲の楽曲データの中から「更新禁止解除フラグ」を検出したか否かを判定する（Ｓ５０５）。この「更新禁止解除フラグ」は、楽曲の演奏データ内の歌唱が中断又は終了するタイミング等に対応する位置に予め埋め込まれている情報であり、「更新禁止解除指示」をリモコン端末５に対して送信するタイミングを指定するためのものである。
【０１１８】
Ｓ５０５において「更新禁止解除フラグ」を検出していないと判定した場合（Ｓ５０５：ＮＯ）、この処理を繰り返す。
そして、Ｓ５０５において「更新禁止解除フラグ」を検出したと判定した場合（Ｓ５０５：ＹＥＳ）、現在演奏中の楽曲に対応するユーザ（すなわち、当該楽曲を予約したユーザ）の個人用Ｗｅｂページに対する更新の解禁を指示する旨の「更新禁止解除指示」を、カラオケ装置４からアクセスポイント１１０を介して行う無線ＬＡＮ通信１１５によってリモコン端末５へ送信し（Ｓ５０６）、Ｓ５０２の処理へ戻る。
【０１１９】
以降、楽曲の演奏中に、Ｓ５０２〜Ｓ５０６の処理を順次繰り返した後、Ｓ５０２において楽曲の演奏が終了したと判定した場合（Ｓ５０２：ＹＥＳ）、当該楽曲に対応するユーザ（すなわち、当該楽曲を予約したユーザ）の今回の歌唱に関するカラオケ歌唱情報を生成し、このカラオケ歌唱情報をインターネット２００を介してカラオケ用ホストサーバ２へ送信し（Ｓ５０７）、「個人用Ｗｅｂページ更新禁止指示処理（第２実施形態）」を終了する。具体的には、当該ユーザの歌唱履歴として今回の演奏楽曲の楽曲名、歌唱したときの音高キー、歌唱時間等を含む情報を送信したり、ユーザの行った歌唱に対して採点を行った場合は、その採点情報を送信したりする。
【０１２０】
上述の「個人用Ｗｅｂページ更新禁止指示処理（第２実施形態）」によれば、リモコン端末５によってログイン中のユーザのアカウントにおける個人用Ｗｅｂページに対するアクセス権は、図１３に示すように推移する。
【０１２１】
図１３に示すように、「Ｍｉｋｅ０６」さんがリモコン端末５を用いてシステムにログインすることで、「Ｍｉｋｅ０６」さんのアカウントでは、「Ｍｉｋｅ０６」さんの個人用Ｗｅｂページに対しては閲覧及び更新の両方が可能であり、他のユーザの個人用Ｗｅｂページに対しては閲覧のみ可能である。
【０１２２】
ここで、「Ｍｉｋｅ０６」さんが予約した楽曲の演奏が開始された後、例えば前奏パートが終了し、歌唱パートへ移行するタイミング等で「更新禁止フラグ」が検出されると、「Ｍｉｋｅ０６」さんの個人用Ｗｅｂページに対しての更新が禁止され、閲覧のみ可能となる。一方、他のユーザの個人用Ｗｅｂページについては、閲覧のみ可能な状態が継続している。
【０１２３】
そして、楽曲の演奏中に歌唱パートから後奏パートへ移行するタイミング等で「更新禁止解除フラグ」が検出されると、「Ｍｉｋｅ０６」さんの個人用Ｗｅｂページに対する更新が解禁され、再び閲覧及び更新の両方が可能になる。
【０１２４】
このように、楽曲の演奏データに予め埋め込んでおく「更新禁止フラグ」及び「更新禁止解除フラグ」を用いることで、楽曲演奏中における任意のタイミングで個人用Ｗｅｂページへのアクセス権を制御することができる。よって、カラオケ演奏中の歌唱パート等において、当該ユーザがカラオケ歌唱に特に集中している間に、歌唱中のユーザがログインしているリモコン端末５を使って他のユーザが歌唱中のユーザの個人用Ｗｅｂページを勝手に更新してしまうことを防げる。
【０１２５】
［効果］
上記実施形態のカラオケネットワークシステム１によれば、次のような効果を奏する。
カラオケの歌唱履歴、十八番の楽曲、採点結果等のカラオケ情報や、ユーザの公開プロフィール、メッセージ等のユーザ提供情報を含む個人用Ｗｅｂページをユーザが所有するパソコン６ａや携帯電話６ｂ等の情報端末や、リモコン端末５を介して閲覧したり自身の個人用Ｗｅｂページを更新したりすることが可能である。これにより、カラオケサービスを利用するユーザ間での情報共有が実現する（請求項１に示す構成に対応）。
【０１２６】
特に、カラオケルーム等においてグループでカラオケサービスを利用する場合等には、リモコン端末５を利用してグループのメンバーが互いに他のメンバーの個人用Ｗｅｂページを閲覧しあうことで、メンバー同士の情報交換が活発になる。また、個人用Ｗｅｂページにユーザのカラオケ情報が含まれていることで、グループ内でのカラオケに関する話題作りに対する動機になる。よって、カラオケサービスを利用中にグループ内でカラオケやメンバーに関する会話が弾むことで楽しい時間を過ごすことができ、グループでのカラオケの利用をより魅力的なものにすることができる。
【０１２７】
さらに、カラオケサービスを利用していないときであっても、ユーザが所有するパソコン６ａや携帯電話６ｂ等の情報端末によりグループのメンバーの個人用Ｗｅｂページを閲覧することができるので、カラオケサービスを軸としたユーザ間の情報交換がより活発になる。
【０１２８】
また、ユーザ端末６やリモコン端末５からホストサーバへ接続する際には、ホストサーバ内のＷｅｂサーバによるユーザ認証が行われるため、個人用Ｗｅｂページの不正な利用を防ぐことができる。また、個人用Ｗｅｂページの更新は、認証された本人のアカウントからのみ行えることにすることで、他人による個人用Ｗｅｂページの改ざん等を防止できる（請求項２の構成に対応）。
【０１２９】
リモコン端末５によってシステムにログイン中のユーザがカラオケ歌唱中であれば、当該歌唱中のユーザのアカウントであっても本人の個人用Ｗｅｂページの更新ができなくなる。これにより、カラオケ歌唱中のユーザの注意がリモコン端末５から離れていても、歌唱中のユーザの個人用Ｗｅｂページが他のユーザに勝手に更新されるのを防げる（請求項３の構成に対応）。
【０１３０】
以上、本発明の実施形態について説明したが、本発明の実施形態は上記の実施形態に何ら限定されるものではなく、本発明の技術的範囲に属する限り様々な態様にて実施することが可能である。
【０１３１】
例えば、カラオケ用ホストサーバ２及びインターネット用ホストサーバ３の両方に、ユーザ登録情報及び個人用Ｗｅｂページのデータを格納するためのデータベースを設けるような構成であってもよい。この場合、カラオケ用ホストサーバ２側のデータベースとインターネット用ホストサーバ３側のデータベースとの間でミラーリングを行うようにすればよい。このように構成することで、カラオケ用ホストサーバ２とインターネット用ホストサーバ３とで、処理負荷を分担することができる上に、データベースの多重化によって、より信頼性の高いシステムを構築することが可能である。
【図面の簡単な説明】
【０１３２】
【図１】インターネット２００を利用したカラオケネットワークシステム１の概略構成を示すブロック図である。
【図２】カラオケ店等のカラオケルーム内に設置されているカラオケ装置４及びリモコン端末５のより具体的な構成を示すブロック図である。
【図３】リモコン端末５及びユーザ端末６によってユーザ登録を行う際の画面表示例を示す説明図である。
【図４】（ａ）は、ユーザ登録データベース２ｃの具体的内容を示す説明図であり、（ｂ）は、個人用Ｗｅｂページデータベース２ｄの具体的内容を示す説明図であり、（ｃ）は、個人用ＷｅｂページのＷｅｂブラウザ上での表示例を示す説明図である。
【図５】リモコン端末５及びユーザ端末６が実行する「個人用Ｗｅｂページ閲覧・更新処理」のメイン処理の手順を示すフローチャートである。
【図６】「個人用Ｗｅｂページ閲覧・更新処理」における画面表示例を示す説明図である。
【図７】リモコン端末５及びユーザ端末６において実行される「個人用Ｗｅｂページ閲覧・更新処理」に対応してカラオケ用ホストサーバ２又はインターネット用ホストサーバ３内のＷｅｂサーバ２ａ，３ａが実行する「個人用Ｗｅｂページ閲覧・更新サービス処理」のメイン処理の手順を示すフローチャートである。
【図８】ログイン中のユーザがリモコン端末５を用いてカラオケの演奏楽曲の予約を行う際の、リモコン端末５の表示部５８における画面表示例を示す説明図である。
【図９】（ａ）は、リモコン端末５が実行する「個人用Ｗｅｂページ更新制限処理」の手順を示すフローチャートであり、（ｂ），（ｃ）は、「個人用Ｗｅｂページ更新制限処理」における画面表示例を示す説明図である。
【図１０】カラオケ装置４が実行する「個人用Ｗｅｂページ更新禁止指示処理（第１実施形態）」の手順を示すフローチャートである。
【図１１】カラオケ装置４が実行する「個人用Ｗｅｂページ更新禁止指示処理（第２実施形態）」の手順を示すフローチャートである。
【図１２】「個人用Ｗｅｂページ更新禁止指示処理（第１実施形態）」による、リモコン端末５によってログイン中のユーザのアカウントにおける個人用Ｗｅｂページに対するアクセス権の推移を示す説明図である。
【図１３】「個人用Ｗｅｂページ更新禁止指示処理（第２実施形態）」による、リモコン端末５によってログイン中のユーザのアカウントにおける個人用Ｗｅｂページに対するアクセス権の推移を示す説明図である。
【符号の説明】
【０１３３】
１…カラオケネットワークシステム、２…カラオケ用ホストサーバ、２ａ…Ｗｅｂサーバ、２ｂ…データベース、３…インターネット用ホストサーバ、３ａ…Ｗｅｂサーバ、４…カラオケ装置、５…リモコン端末、６…ユーザ端末、６ａ…パーソナルコンピュータ（パソコン）、６ｂ…携帯電話、１２…制御部、１４…インタフェース部、１６…ハードディスク（ＨＤＤ）、１８…操作部、２０…赤外線通信部、２２…操作処理部、２４…音声制御部、２６…マイクロフォン、２８…スピーカ、３０…ＭＩＤＩ音源、３２…ビデオＲＡＭ、３４…映像再生部、３６…モニタ、３８…映像制御部、４０…メモリ、５２…制御部、５４…赤外線通信部、５６…メモリ、５８…表示部、６０…操作部、６２…操作処理部、６４…ビデオＲＡＭ、６６…映像制御部、６８…無線ＬＡＮ通信部、１００…ＬＡＮ、１１０…アクセスポイント、１２０，１３０…ルータ、２００…インターネット。
【図１】
2007256824.tif 000003
【図２】
2007256824.tif 000004
【図３】
2007256824.tif 000005
【図４】
2007256824.tif 000006
【図５】
2007256824.tif 000007
【図６】
2007256824.tif 000008
【図７】
2007256824.tif 000009
【図８】
2007256824.tif 000010
【図１０】
2007256824.tif 000011
【図１１】
2007256824.tif 000012
【図１２】
2007256824.tif 000013
【図１３】
2007256824.tif 000014
【図９】
2007256824.tif 000015